(57)【要約】  文字入力方法及び端末を提供する。該方法において、文字入力をトリガーするためのトリガー操作が検出されると、少なくとも２種類の入力法の入力操作領域と、前記入力法で入力される文字を表示するための文字表示領域とを含む文字編集インタフェースを表示することと、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持することとを含む。
2021532492.tif 000002
【特許請求の範囲】
【請求項１】
端末に応用される文字入力方法であって、
文字入力をトリガーするためのトリガー操作が検出されると、少なくとも２種類の入力法の入力操作領域と、前記入力法で入力される文字を表示するための文字表示領域とを含む文字編集インタフェースを表示することと、
現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持することとを含む、文字入力方法。
【請求項２】
前記少なくとも２種類の入力法がキー入力法を含む場合、前記キー入力法の入力操作領域は、キーボード領域を含み、
前記の現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持することは、
現在使用されている入力法が前記少なくとも２種類の入力法のうち前記キー入力法以外の他の入力法であることが検出され、且つ前記キーボード領域上のキーが押下されたことが検出されると、前記現在使用されている入力法の入力操作領域にある全ての文字をクリアし、現在使用されている入力法を前記キー入力法に切り替えて、前記キーボード領域に入力された文字情報を取得することを含む、請求項１に記載の文字入力方法。
【請求項３】
前記少なくとも２種類の入力法が手書き入力法を含む場合、前記手書き入力法の入力操作領域は、手書き領域を含み、
前記の文字編集インタフェースを表示することの後に、
前記手書き領域上での手書き操作が検出されると、現在使用されている入力法を前記手書き入力法と特定し、前記手書き領域に入力された文字情報を取得することを更に含む、請求項１に記載の文字入力方法。
【請求項４】
前記少なくとも２種類の入力法が音声入力法を含む場合、前記の文字編集インタフェースを表示することの後に、
ユーザの音声情報が検出され、且つ、前記文字編集インタフェースに他の入力法の入力操作が存在しない場合、収集された音声情報を取得し、前記音声情報を文字情報に変換することを更に含む、請求項１に記載の文字入力方法。
【請求項５】
前記の文字編集インタフェースを表示することの後に、
前記少なくとも２種類の入力法のうちの一方の入力法を用いた文字入力が検出されると、入力情報に対応する少なくとも１組の候補文字を現在使用されている入力法の入力操作領域に表示することと、
前記少なくとも１組の候補文字のうちの１組の候補文字が選択されたことが検出されると、選択された文字を前記文字表示領域に追加することとを更に含む、請求項１に記載の文字入力方法。
【請求項６】
現在表示されている文字編集インタフェースにおける少なくとも２種類の入力法の入力操作領域は、第１入力法の入力操作領域と第２入力法の入力操作領域とを含み、且つ前記第１入力法及び前記第２入力法のいずれとも異なる第３入力法の入力操作領域を含まず、
前記の文字編集インタフェースを表示することの後に、
前記第１入力法を前記第３入力法に切り替えるための切替操作が検出されると、前記第２入力法の入力操作領域と、前記第３入力法の入力操作領域と、前記文字表示領域とを含む新たな文字編集インタフェースを表示することを更に含む、請求項１に記載の文字入力方法。
【請求項７】
文字入力をトリガーするためのトリガー操作が検出されると、少なくとも２種類の入力法の入力操作領域と、前記入力法で入力される文字を表示するための文字表示領域とを含む文字編集インタフェースを表示する第１表示モジュールと、
現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持する第２表示モジュールとを含む、端末。
【請求項８】
前記少なくとも２種類の入力法がキー入力法を含む場合、前記キー入力法の入力操作領域は、キーボード領域を含み、
前記端末は、
現在使用されている入力法が前記少なくとも２種類の入力法のうち前記キー入力法以外の他の入力法であることが検出され、且つ前記キーボード領域上のキーが押下されたことが検出されると、前記現在使用されている入力法の入力操作領域にある全ての文字をクリアし、現在使用されている入力法を前記キー入力法に切り替えて、前記キーボード領域に入力された文字情報を取得する第１取得モジュールを更に含む、請求項７に記載の端末。
【請求項９】
前記少なくとも２種類の入力法が手書き入力法を含む場合、前記手書き入力法の入力操作領域は、手書き領域を含み、
前記端末は、
前記手書き領域上での手書き操作が検出されると、現在使用されている入力法を前記手書き入力法と特定し、前記手書き領域に入力された文字情報を取得する第２取得モジュールを更に含む、請求項７に記載の端末。
【請求項１０】
前記少なくとも２種類の入力法が音声入力法を含む場合、前記端末は、
ユーザの音声情報が検出され、且つ、前記文字編集インタフェースに他の入力法の入力操作が存在しない場合、収集された音声情報を取得し、前記音声情報を文字情報に変換する第３取得モジュールを更に含む、請求項７に記載の端末。
【請求項１１】
前記少なくとも２種類の入力法のうちの一方の入力法を用いた文字入力が検出されると、入力情報に対応する少なくとも１組の候補文字を現在使用されている入力法の入力操作領域に表示する第３表示モジュールと、
前記少なくとも１組の候補文字のうちの１組の候補文字が選択されたことが検出されると、選択された文字を前記文字表示領域に追加する追加モジュールとを更に含む、請求項７に記載の端末。
【請求項１２】
現在表示されている文字編集インタフェースにおける少なくとも２種類の入力法の入力操作領域は、第１入力法の入力操作領域と第２入力法の入力操作領域とを含み、且つ前記第１入力法及び前記第２入力法のいずれとも異なる第３入力法の入力操作領域を含まず、
前記端末は、
前記第１入力法を前記第３入力法に切り替えるための切替操作が検出されると、前記第２入力法の入力操作領域と、前記第３入力法の入力操作領域と、前記文字表示領域とを含む新たな文字編集インタフェースを表示する第２表示モジュールを更に含む、請求項７に記載の端末。
【請求項１３】
プロセッサと、メモリと、前記メモリに格納されて前記プロセッサで実行可能なコンピュータプログラムとを含む端末であって、
前記コンピュータプログラムが前記プロセッサによって実行されると、請求項１〜６のいずれか１項に記載の文字入力方法が実現される、端末。
【請求項１４】
コンピュータプログラムが格納されているコンピュータ読み取り可能な記憶媒体であって、
前記コンピュータプログラムがプロセッサによって実行されると、請求項１〜６のいずれか１項に記載の文字入力方法が実現される、コンピュータ読み取り可能な記憶媒体。
【発明の詳細な説明】
【技術分野】
【０００１】
関連出願の相互参照
本願は、２０１８年８月１日に中国特許庁に提出された中国特許出願２０１８１０８６２７６９．２の優先権を主張し、その全ての内容が援用によりここに取り込まれる。
本開示の実施例は、文字入力技術分野に係り、特に文字入力方法及び端末に係る。
【背景技術】
【０００２】
端末のますますの発展に伴い、端末にインストールされたメール、チャット、ショートメッセージ、オフィス等のアプリケーションを利用するユーザが増えている。ユーザは、これらのアプリケーションを使用する際に、入力法を利用して文字入力を行う必要がある場合が多い。
【０００３】
関連技術において、ユーザが入力法を用いて文字入力を行う場合、文字編集インタフェースでは、１種類のみの入力法による文字入力をサポートし、文字入力効率が低い。このため、ユーザは、一度入力法を選択すると、その入力法による不便を我慢しなければならない。例えば、ユーザが２６キー入力法で文字を入力する場合、２６キー入力法に対応する文字編集インタフェースでは、入力マッチ度は高いが、アルファベットキーが小さくて押し間違えやすい。ユーザが９宮格入力法で文字を入力する場合、９宮格入力法に対応する文字編集インタフェースでは、キーが十分に大きいが、入力後のマッチ度が高くなく、ユーザが入力したい文字とマッチしにくい。ユーザが音声入力法で文字を入力する場合、発音が不正確であったり発音時の環境が騒がしいため入力したい文字とマッチしない。ユーザが手書き入力法で文字を入力する場合、画数の多い文字に時間がかかって不便になる。ユーザが他の入力法で文字入力を行いたい場合、入力法を積極的に切り替える必要があり、現在使用されている入力法に対応する文字編集インタフェースがなくなり、新たな文字編集インタフェースに置き換わられ、新たな文字編集インタフェースは、やはり１種類の入力法による文字入力しかサポートせず、文字入力効率が低く、ユーザに不便をもたらすことになる。
【０００４】
従って、いかに効率よく、より正確に文字を入力するかが、解決すべき技術的課題である。
【発明の概要】
【発明が解決しようとする課題】
【０００５】
本開示の実施例は、いかに効率よく、より正確に文字を入力するかという問題を解決するために、文字入力方法及び端末を提供する。
【課題を解決するための手段】
【０００６】
第１態様として、本開示の実施例は、端末に応用される文字入力方法を提供し、該文字入力方法は、文字入力をトリガーするためのトリガー操作が検出されると、少なくとも２種類の入力法の入力操作領域と、前記入力法で入力される文字を表示するための文字表示領域とを含む文字編集インタフェースを表示することと、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持することとを含む。
【０００７】
第２態様として、本開示の実施例は、端末を提供し、該端末は、文字入力をトリガーするためのトリガー操作が検出されると、少なくとも２種類の入力法の入力操作領域と、前記入力法で入力される文字を表示するための文字表示領域とを含む文字編集インタフェースを表示する第１表示モジュールと、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持する第２表示モジュールとを含む。
【０００８】
第３態様として、本開示の実施例は、プロセッサと、メモリと、前記メモリに格納されて前記プロセッサで実行可能なコンピュータプログラムとを含む端末を提供し、前記コンピュータプログラムが前記プロセッサによって実行されると、上記文字入力方法が実現される。
【０００９】
第４態様として、本開示の実施例は、コンピュータプログラムが格納されているコンピュータ読み取り可能な記憶媒体を提供し、前記コンピュータプログラムがプロセッサによって実行されると、上記文字入力方法が実現される。
【発明の効果】
【００１０】
本開示の実施例において、入力法を起動して文字入力を行うための操作が検出されると、少なくとも２種類の入力法による文字入力が可能な文字編集インタフェースを表示することによって、現在表示されている文字編集インタフェースにおいてユーザが少なくとも２種類の入力法を用いて文字入力を行うことができるため、入力法の切り替え時に文字編集インタフェースを頻繁に切り替えることを回避し、文字入力の効率と正確性を効果的に向上させる。
【図面の簡単な説明】
【００１１】
【図１】本開示の実施例１に係る文字入力方法のフローチャートである。
【図２】本開示の実施例に係る文字編集インタフェースの概略図である。
【図３】本開示の実施例に係る文字編集インタフェースの別の概略図である。
【図４】本開示の実施例に係る文字編集インタフェースの別の概略図である。
【図５】本開示の実施例に係る文字編集インタフェースの別の概略図である。
【図６】本開示の実施例に係る文字編集インタフェースの別の概略図である。
【図７】本開示の実施例に係る文字編集インタフェースの別の概略図である。
【図８】本開示の実施例に係る文字編集インタフェースの別の概略図である。
【図９】本開示の実施例に係る文字編集インタフェースの別の概略図である。
【図１０】本開示の実施例に係る文字編集インタフェースの別の概略図である。
【図１１】本開示の実施例に係る文字編集インタフェースの別の概略図である。
【図１２】本開示の実施例に係る文字編集インタフェースの別の概略図である。
【図１３】本開示の実施例に係る文字編集インタフェースの別の概略図である。
【図１４】本開示の実施例２に係る端末の構造図である。
【図１５】本開示の実施例３に係る端末の構造図である。
【図１６】本開示の各実施例を実現する端末のハードウェア構造図である。
【発明を実施するための形態】
【００１２】
以下、本開示の実施例の図面を関連して、本開示の実施例の技術手段を明確且つ完全的に記載する。明らかに、記載する実施例は、本開示の実施例の全てではなく、一部なのである。本開示の実施例に基づき、当業者が創造性のある作業をしなくても為しえる全ての他の実施例は、いずれも本願の保護範囲に属するものである。
【００１３】
図１を参照し、図１は、本開示の実施例１に係る文字入力方法のフローチャートである。該方法において、文字入力をトリガーするためのトリガー操作が検出されると、少なくとも２種類の入力法の入力操作領域と、前記入力法で入力される文字を表示するための文字表示領域とを含む文字編集インタフェースを表示するステップＳ１１と、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持するステップＳ１２とを含む。
【００１４】
上記方法によれば、現在表示されている文字編集インタフェースにおいてユーザが少なくとも２種類の入力法を用いて文字入力を行うことができるため、入力法の切り替え時に文字編集インタフェースを頻繁に切り替えることを回避し、文字入力の効率と正確性を効果的に向上させる。
【００１５】
上記実施例において、文字入力をトリガーするためのトリガー操作は、ショートメッセージ、メール、ウィチャット等のアプリケーションの文字入力領域（例えば文字編集ボックス、検索ボックス等）を押下する押下操作である。
【００１６】
上記実施例において、前記少なくとも２種類の入力法は、キー入力法、音声入力法及び手書き入力法の少なくとも２つを含む。
【００１７】
ここで、前記キー入力法は、５筆字型入力法、ピンイン入力法又は外字入力法を含む。前記キー入力法は、２６キー入力法でもよいし、９宮格入力法でもよい。これにより、ユーザの様々なニーズを満たし、ユーザによる文字入力の効率を向上させる。
【００１８】
本開示の一部の選択的な実施例において、前記少なくとも２種類の入力法が前記キー入力法を含む場合、前記キー入力法の入力操作領域は、キーボード領域を含む。
【００１９】
例えば、図２を参照し、図２は、音声入力法及び９宮格入力法をサポートする文字編集インタフェース２０の概略図である。文字編集インタフェース２０において、９宮格入力法の入力操作領域２１は、キーボード領域２１１を含んでもよい。
【００２０】
もちろん、キー入力法の入力操作領域２１は、少なくとも１組の候補文字を表示するためのキーマッチ文字選択領域（図示していない）を更に含み、ユーザは、キーマッチ文字選択領域上で入力したい文字を選択することを容易にする。
【００２１】
本開示の他の一部の選択的な実施例において、前記少なくとも２種類の入力法が前記音声入力法を含む場合、前記音声入力法の入力操作領域は、少なくとも１組の候補文字を表示するための音声マッチ文字選択領域を含む。
【００２２】
引き続き図２を参照し、文字編集インタフェース２０において、音声入力法の入力操作領域２２は、音声マッチ文字選択領域２２１を含み、ユーザの音声情報に基づいてマッチした文字情報を音声マッチ文字選択領域２２１に表示して、ユーザによる選択を容易にする。
【００２３】
本開示の更なる他の選択的な実施例において、前記少なくとも２種類の入力法が前記手書き入力法を含む場合、前記手書き入力法の入力操作領域は、手書き領域を含む。
【００２４】
ここで、手書き領域は、文字編集インタフェース上の所定の領域であり、例えば文字編集インタフェース全体であり、手書き領域を大きくすることで、ユーザが手書きする操作を容易にする。もちろん、該所定の領域は、実際のニーズに応じて設定することができ、より柔軟にすることができる。
【００２５】
例えば、図３を参照し、図３は、手書き入力法及びキー入力法をサポートする文字編集インタフェース３０の概略図である。文字編集インタフェース３０において、手書き入力法の入力操作領域３１は、手書き領域３１１を含む。
【００２６】
もちろん、手書き入力法の入力操作領域３１は、少なくとも１組の候補文字を表示するための手書きマッチ文字選択領域３１２を更に含む。これにより、ユーザが手書きした文字の画に基づいてマッチした文字情報を手書きマッチ文字選択領域３１２に表示し、ユーザは、手書きマッチ文字選択領域３１２上で入力したい文字を選択しやすくなる。
【００２７】
選択的に、キーマッチ文字選択領域、音声マッチ文字選択領域及び手書きマッチ文字選択領域は、必要に応じて設定可能な所定のグループ数の候補文字を表示する。
【００２８】
選択的に、キーマッチ文字選択領域、音声マッチ文字選択領域及び手書きマッチ文字選択領域に、より多くのグループ数の候補文字を表示するように指示するためのモアキーを表示する。
【００２９】
選択的に、キーマッチ文字選択領域、音声マッチ文字選択領域及び手書きマッチ文字選択領域に表示される所定のグループ数の候補文字は、スライド操作の検出に応じて切り替えられる。
【００３０】
本開示の一部の選択的な実施例において、ステップＳ１２は、現在使用されている前記少なくとも２種類の入力法のうちの一方の入力法を他方の入力法に切り替えるための切替操作が検出されると、前記現在使用されている入力法の入力操作領域にある全ての文字をクリアし、現在使用されている入力法を前記他方の入力法として特定する。
【００３１】
即ち、現在使用されている文字編集インタフェースにおける一方の入力法を他方の入力法に切り替える際に、切り替え前に使用していた入力法の入力操作領域にある全ての文字をクリアする。
【００３２】
選択的に、前記少なくとも２種類の入力法が前記キー入力法を含む場合、ステップＳ１２は、現在使用されている入力法が前記少なくとも２種類の入力法のうち前記キー入力法以外の他の入力法であることが検出され、且つ前記キーボード領域上のキーが押下されたことが検出されると、前記現在使用されている入力法の入力操作領域にある全ての文字をクリアし、現在使用されている入力法を前記キー入力法に切り替えて、前記キーボード領域に入力された文字情報を取得することを含む。
【００３３】
即ち、キー入力法以外の他の入力法で文字を入力中に、キーボード領域上のいずれかのキーがクリックされたことを検出すると、現在使用されている入力法の入力操作領域にある全ての文字をクリアし、直ちにキー入力法に切り替えて次の文字入力を行う。
【００３４】
例えば、図４及び図５を参照し、ユーザが音声入力法及びキー入力法を用いることができる文字編集インタフェースを用いて文字入力を行い、該ユーザが音声入力法を用いて文字を入力する場合に表示される文字編集インタフェース４０は、図４に示すようになる。文字編集インタフェース４０において、キー入力法の入力操作領域は、キーボード領域４１であり、音声入力法の入力操作領域は、音声マッチ文字選択領域４２である。キーボード領域４１のキーがクリックされたことを検出すると、図５に示すように、音声マッチ文字選択領域４２の全ての文字がクリアされる。
【００３５】
本開示の一部の選択的な実施例において、前記の文字編集インタフェースを表示するステップの後に、前記方法は、前記少なくとも２種類の入力法のうちの一方の入力法を用いた文字入力が検出されると、入力情報に対応する少なくとも１組の候補文字を現在使用されている入力法の入力操作領域に表示するステップと、前記少なくとも１組の候補文字のうちの１組の候補文字が選択されたことが検出されると、選択された文字を前記文字表示領域に追加するステップとを更に含む。
【００３６】
ここで、検出された音声情報に基づいてマッチした文字は、ワード（アルファベット、中国語漢字を含む）、単語又は文章であり得る。また、１組の候補文字を選択する選択操作は、１組の候補文字をクリックするクリック操作であり得る。
【００３７】
選択した文字を前記文字表示領域に追加した後に、現在使用されている入力法の入力操作領域にある全ての文字をクリアし得る。
【００３８】
例えば、図６〜図８を参照し、音声入力法を用いて文字入力を行う場合、音声入力法の入力操作領域は、音声マッチ文字選択領域６１である。音声内容が「
【数１】
2021532492.tif 000003
」（こんにちは）である音声情報は検出されると、検出された音声情報に対して文字マッチを行い、図６に示すように、マッチした３組の候補文字（
【数２】
2021532492.tif 000004
）を文字編集インタフェース６０の音声マッチ文字選択領域６１に並べて表示する。図７に示すように、音声マッチ文字選択領域６１で「
【数３】
2021532492.tif 000005
」を選択する選択操作が検出されると、選択された「
【数４】
2021532492.tif 000006
」という文字を文字表示領域６２に追加し、図８に示すように、音声マッチ文字選択領域６１内の全ての文字をクリアする。
【００３９】
また、図９〜図１１を参照し、手書き入力法を用いて文字入力を行う場合、手書き入力法の入力操作領域９１は、手書き領域９１１と、手書きマッチ文字選択領域９１２とを含む。ユーザが手書き領域９１１に文字内容「
【数５】
2021532492.tif 000007
」の画を書いたことが検出されると、検出された画情報の文字マッチをし、マッチした４組の候補文字（
【数６】
2021532492.tif 000008
）を文字編集インタフェース９０の手書きマッチ文字選択領域９１２に並べて表示する。図１０に示すように、手書きマッチ文字選択領域９１２内で「
【数７】
2021532492.tif 000009
」を選択する選択操作が検出されると、選択された「
【数８】
2021532492.tif 000010
」という文字を文字表示領域９２に追加し、図１１に示すように、手書き入力法の入力操作領域９１（手書き領域９１１と手書きマッチ文字選択領域９１２を含む）内の全ての文字がクリアされる。
【００４０】
もちろん、選択された文字を前記文字表示領域に追加した後、現在使用されている入力法の入力操作領域にある文字をクリアしなくてもよい。
【００４１】
具体的には、選択された文字を前記文字表示領域に追加した後、選択された文字の連想字又は連想単語を入力操作領域に表示する。例えば、ユーザが選択した文字が「陽光」である場合、「陽光」を前記文字表示領域に追加し、「明媚」、「下」、「好」、「真好」など、「陽光」の連想字又は連想単語を入力操作領域に表示する。
【００４２】
本開示の一部の選択的な実施例において、前記少なくとも２種類の入力法が前記音声入力法を含む場合、前記の文字編集インタフェースを表示するステップの後に、前記方法は、ユーザの音声情報が検出され、且つ、前記文字編集インタフェースに他の入力法の入力操作が存在しない場合、収集された音声情報を取得し、前記音声情報を文字情報に変換することを更に含む。
【００４３】
即ち、前記少なくとも２種類の入力法が前記音声入力法を含む場合、文字入力の過程で音声情報を常にリアルタイムに収集し、音声情報が収集され且つ他の入力法を用いた文字入力が行われない場合のみ、収集された音声情報を文字情報に変換する。
【００４４】
本開示の更なる他の選択的な実施例において、前記少なくとも２種類の入力法が前記手書き入力法を含む場合、前記の文字編集インタフェースを表示するステップの後に、前記方法は、前記手書き領域上での手書き操作が検出されると、現在使用されている入力法を前記手書き入力法として特定し、前記手書き領域に入力された文字情報を取得することを更に含む。
【００４５】
即ち、ユーザが手書き領域に文字を書いていることが検出された場合、それまで採用されていた入力法が手書き入力法でなければ、入力法を手書き入力法に切り替え、それまでは手書き入力法を用いていたのであれば、引き続き手書き入力法による文字入力を行い、筆記された画情報に対して文字マッチを行い、手書き入力法で入力された文字情報を取得する。
【００４６】
本発明の一部の選択的な実施例において、現在表示されている文字編集インタフェースにおける少なくとも２種類の入力法の入力操作領域は、第１入力法の入力操作領域と第２入力法の入力操作領域とを含み、且つ前記第１入力法及び前記第２入力法のいずれとも異なる第３入力法の入力操作領域を含まない。前記の文字編集インタフェースを表示するステップの後に、前記方法は、前記第１入力法を前記第３入力法に切り替えるための切替操作が検出されると、前記第２入力法の入力操作領域と、前記第３入力法の入力操作領域と、前記文字表示領域とを含む新たな文字編集インタフェースを表示することを更に含む。
【００４７】
即ち、現在表示されている文字編集インタフェースでは、第１入力法及び第２入力法による文字入力は可能であるが、第３入力法による文字入力は不可能である。第１入力法を第３入力法に切り替えるための切替操作が検出されると、新たな文字編集インタフェースを表示し、新たな文字編集インタフェースにおいて、前記第２入力法及び前記第３入力法による文字入力が可能である。
【００４８】
ここで、前記の第１入力法を第３入力法に切り替えるための切替操作は、前記文字編集インタフェースに表示される入力法の切り替えを指示するための切り替えキーが押下される押下操作である。前記切り替えキーは、実際のニーズに応じて予め設定されたキーとすることができ、前記文字編集インタフェースのどこにでも配置することができ、より柔軟である。
【００４９】
例えば、引き続き図２及び図３を参照し、第１入力法は、音声入力法であり、第２入力法は、キー入力法であり、第３入力法は、手書き入力法である。図２の文字編集インタフェース２０では、音声入力法の入力操作領域２２は、音声マッチ文字選択領域２２１であり、音声マッチ文字選択領域２２１の一番右のマイクキーは、前記切り替えキーであり、該マイクキーのクリックが検出されると、図３に示すように、新たな文字編集インタフェース３０が表示される。新たな文字編集インタフェース３０は、キー入力法及び手書き入力法による文字入力が可能であり、文字表示領域３２と、キー入力法の入力操作領域３３と、手書き入力法の入力操作領域３１（手書き領域３１１及び手書きマッチ文字選択領域３１２を含む）とを含む。
【００５０】
また、引き続き図２及び図３を参照し、第１入力法は、手書き入力法であり、第２入力法は、キー入力法であり、第３入力法は、音声入力法である。図３の文字編集インタフェース３０では、手書き入力法の入力操作領域３１の一番右の画キーは、前記切り替えキーであり、この画キーのクリックが検出されると、図２に示すように、新たな文字編集インタフェース２０が表示される。新たな文字編集インタフェース２０は、キー入力法及び音声入力法を用いて文字入力を行うことができ、文字表示領域２３と、キー入力法の入力操作領域２１と、音声入力法の入力操作領域２２とを含む。
【００５１】
また、図２及び図１２を参照し、第１入力法は、キー入力法であり、第２入力法は、音声入力法であり、第３入力法は、手書き入力法である。図２の文字編集インタフェース２０では、キーボード領域２１１の「１」キーが前記切り替えキーであり、この「１」キーのクリックが検出されると、図１２に示すように、新たな文字編集インタフェース１２０が表示される。新たな文字編集インタフェース１２０は、音声入力法と手書き入力法を用いて文字入力を行うことができ、文字表示領域１２１と、音声入力法の入力操作領域１２２と、手書き入力法の入力操作領域１２３（手書きマッチ文字選択領域１２３１と手書き領域１２３２を含む）とを含む。
【００５２】
図１３を参照し、本開示の一部の具体的な実施例において、文字編集インタフェース１３０は、３種類の入力法（例えばキー入力法、音声入力法及び手書き入力法）を用いて文字入力を行うことができる。この文字編集インタフェース１３０は、文字表示領域１３１と、キー入力法の入力操作領域１３２と、音声入力法の入力操作領域１３３と、手書き入力法の入力操作領域１３４とを含む。ここで、手書き入力法の入力操作領域１３４は、手書きマッチ文字選択領域１３４１と、手書き領域１３４２とを含む。
【００５３】
これにより、ユーザが、文字編集インタフェース上で３種類の入力法を用いて文字入力を行うことができ、どのような入力法を用いたくても即座に使用することができ、文字編集インタフェースの頻繁な切り替えを回避して、ユーザの文字入力の時間を削減し、文字入力の効率を効果的に向上させる。
【００５４】
上記文字入力方法と同じ発明思想に基づいて、本開示は、端末を提供する。図１４を参照し、図１４は、本開示の実施例２に係る端末１４０の構造図である。端末１４０は、文字入力をトリガーするためのトリガー操作が検出されると、少なくとも２種類の入力法の入力操作領域と、前記入力法で入力される文字を表示するための文字表示領域とを含む文字編集インタフェースを表示する第１表示モジュール１４１と、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持する第２表示モジュール１４２とを含む。
【００５５】
本開示の端末は、少なくとも２種類の入力法による文字入力が可能な文字編集インタフェースを表示することができるため、入力法の切り替え時に文字編集インタフェースを頻繁に切り替えることを回避し、文字入力の効率と正確性を効果的に向上させる。
【００５６】
選択的に、前記少なくとも２種類の入力法は、キー入力法、音声入力法及び手書き入力法の少なくとも２つを含む。
【００５７】
選択的に、前記少なくとも２種類の入力法がキー入力法を含む場合、前記キー入力法の入力操作領域は、キーボード領域を含む。前記端末１４０は、現在使用されている入力法が前記少なくとも２種類の入力法のうち前記キー入力法以外の他の入力法であることが検出され、且つ前記キーボード領域上のキーが押下されたことが検出されると、前記現在使用されている入力法の入力操作領域にある全ての文字をクリアし、現在使用されている入力法を前記キー入力法に切り替えて、前記キーボード領域に入力された文字情報を取得する第１取得モジュールを更に含む。
【００５８】
選択的に、前記少なくとも２種類の入力法が手書き入力法を含む場合、前記手書き入力法の入力操作領域は、手書き領域を含む。前記端末１４０は、前記手書き領域上での手書き操作が検出されると、現在使用されている入力法を前記手書き入力法と特定し、前記手書き領域に入力された文字情報を取得する第２取得モジュールを更に含む。
【００５９】
選択的に、前記少なくとも２種類の入力法が音声入力法を含む場合、前記端末１４０は、ユーザの音声情報が検出され、且つ、前記文字編集インタフェースに他の入力法の入力操作が存在しない場合、収集された音声情報を取得し、前記音声情報を文字情報に変換する第３取得モジュールを更に含む。
【００６０】
選択的に、前記端末１４０は、前記少なくとも２種類の入力法のうちの一方の入力法を用いた文字入力が検出されると、入力情報に対応する少なくとも１組の候補文字を現在使用されている入力法の入力操作領域に表示する第３表示モジュールと、前記少なくとも１組の候補文字のうちの１組の候補文字が選択されたことが検出されると、選択された文字を前記文字表示領域に追加する追加モジュールとを更に含む。
【００６１】
選択的に、現在表示されている文字編集インタフェースにおける少なくとも２種類の入力法の入力操作領域は、第１入力法の入力操作領域と第２入力法の入力操作領域とを含み、且つ前記第１入力法及び前記第２入力法のいずれとも異なる第３入力法の入力操作領域を含まない。前記端末１４０は、前記第１入力法を前記第３入力法に切り替えるための切替操作が検出されると、前記第２入力法の入力操作領域と、前記第３入力法の入力操作領域と、前記文字表示領域とを含む新たな文字編集インタフェースを表示する第２表示モジュールを更に含む。
【００６２】
選択的に、前記の前記第１入力法を第３入力法に切り替えるための切替操作は、前記文字編集インタフェースに表示される入力法の切り替えを指示するための切り替えキーが押下される押下操作である。
【００６３】
本開示の実施例に係る端末は、上記文字入力方法の実施例において端末によって実行される各プロセスを実現することができ、重複を避けるために、ここでは繰り返して述べない。
【００６４】
図１５を参照すると、図１５は、本開示の実施例３に係る端末１５０の構造図である。該端末１５０は、プロセッサ１５１と、メモリ１５２と、メモリ１５２に格納されて前記プロセッサ１５１で実行可能なコンピュータプログラムとを含む。前記プロセッサ１５１は、前記プログラムを実行すると、文字入力をトリガーするためのトリガー操作が検出されると、少なくとも２種類の入力法の入力操作領域と、前記入力法で入力される文字を表示するための文字表示領域とを含む文字編集インタフェースを表示するステップと、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持するステップとを実現する。
【００６５】
本開示の実施例に係る端末は、少なくとも２種類の入力法による文字入力が可能な文字編集インタフェースを表示することができ、現在表示されている文字編集インタフェースにおいてユーザが少なくとも２種類の入力法を用いて文字入力を行うことができるため、入力法の切り替え時に文字編集インタフェースを頻繁に切り替えることを回避し、文字入力の効率と正確性を効果的に向上させる。
【００６６】
選択的に、前記少なくとも２種類の入力法は、キー入力法、音声入力法及び手書き入力法の少なくとも２つの含む。
【００６７】
選択的に、前記少なくとも２種類の入力法がキー入力法を含む場合、前記キー入力法の入力操作領域は、キーボード領域を含む。選択的に、コンピュータプログラムがプロセッサ１５１によって実行されると、更に下記のステップが実現される。
前記の現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持するステップは、
現在使用されている入力法が前記少なくとも２種類の入力法のうち前記キー入力法以外の他の入力法であることが検出され、且つ前記キーボード領域上のキーが押下されたことが検出されると、前記現在使用されている入力法の入力操作領域にある全ての文字をクリアし、現在使用されている入力法を前記キー入力法に切り替えて、前記キーボード領域に入力された文字情報を取得するステップを含む。
【００６８】
選択的に、前記少なくとも２種類の入力法が手書き入力法を含む場合、前記手書き入力法の入力操作領域は、手書き領域を含む。選択的に、コンピュータプログラムがプロセッサ１５１によって実行されると、更に下記のステップが実現される。前記の文字編集インタフェースを表示するステップの後に、前記手書き領域上での手書き操作が検出されると、現在使用されている入力法を前記手書き入力法と特定し、前記手書き領域に入力された文字情報を取得するステップを更に含む。
【００６９】
選択的に、前記少なくとも２種類の入力法が音声入力法を含む場合、コンピュータプログラムがプロセッサ１５１によって実行されると、更に下記のステップが実現される。前記の文字編集インタフェースを表示するステップの後に、ユーザの音声情報が検出され、且つ、前記文字編集インタフェースに他の入力法の入力操作が存在しない場合、収集された音声情報を取得し、前記音声情報を文字情報に変換するステップを更に含む。
【００７０】
選択的に、コンピュータプログラムがプロセッサ１５１によって実行されると、更に下記のステップが実現される。前記の文字編集インタフェースを表示するステップの後に、前記少なくとも２種類の入力法のうちの一方の入力法を用いた文字入力が検出されると、入力情報に対応する少なくとも１組の候補文字を現在使用されている入力法の入力操作領域に表示するステップと、前記少なくとも１組の候補文字のうちの１組の候補文字が選択されたことが検出されると、選択された文字を前記文字表示領域に追加するステップとを更に含む。
【００７１】
選択的に、コンピュータプログラムがプロセッサ１５１によって実行されると、更に下記のステップが実現される。現在表示されている文字編集インタフェースにおける少なくとも２種類の入力法の入力操作領域は、第１入力法の入力操作領域と第２入力法の入力操作領域とを含み、且つ前記第１入力法及び前記第２入力法のいずれとも異なる第３入力法の入力操作領域を含まず、前記の文字編集インタフェースを表示することの後に、
前記第１入力法を前記第３入力法に切り替えるための切替操作が検出されると、前記第２入力法の入力操作領域と、前記第３入力法の入力操作領域と、前記文字表示領域とを含む新たな文字編集インタフェースを表示するステップを更に含む。
【００７２】
選択的に、前記の前記第１入力法を前記第３入力法に切り替えるための切替操作は、前記文字編集インタフェースに表示される入力法の切替を指示するための切り替えキーを押下する押下操作である。
【００７３】
図１６を参照すると、図１６は、本開示の各実施例を実現する端末のハードウェア構造図である。該端末１００は、ラジオ周波数ユニット１０１と、ネットワークモジュール１０２と、音声出力ユニット１０３と、入力ユニット１０４と、センサ１０５と、表示ユニット１０６と、ユーザ入力ユニット１０７と、インタフェースユニット１０８と、メモリ１０９と、プロセッサ１１０と、電源１１１などの構成要素を含むが、これらに限定されない。図１６に示される端末の構造は、端末を限定するものではなく、端末は、図示されるよりも多い又は少ない構成要素、又は特定の構成要素の組み合わせ、又は異なる構成要素の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００７４】
ここで、プロセッサ１１０は、文字入力をトリガーするためのトリガー操作が検出されると、少なくとも２種類の入力法の入力操作領域と、前記入力法で入力される文字を表示するための文字表示領域とを含む文字編集インタフェースを表示し、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持する。
【００７５】
本開示の実施例において、少なくとも２種類の入力法による文字入力が可能な文字編集インタフェースを表示することによって、現在表示されている文字編集インタフェースにおいてユーザが少なくとも２種類の入力法を用いて文字入力を行うことができるため、入力法の切り替え時に文字編集インタフェースを頻繁に切り替えることを回避し、文字入力の効率と正確性を効果的に向上させる。
【００７６】
なお、本開示の実施例において、ラジオ周波数ユニット１０１は、情報の送受信又は通話中で信号の送受信に用いられ、具体的に、基地局から下りデータを受信した後、プロセッサ１１０による処理に供し、また、上りデータを基地局に送信する。一般に、ラジオ周波数ユニット１０１は、アンテナ、少なくとも１つの増幅器、トランシーバ、結合器、低雑音増幅器、デュプレクサなどを含むが、それらに限定されない。また、ラジオ周波数ユニット１０１は、無線通信システムを介してネットワークや他の機器と通信を行うこともできる。
【００７７】
端末は、ネットワークモジュール１０２を介して、電子メールの送受信、ウェブページの閲覧、ストリーミングメディアへのアクセスを支援するなど、無線ブロードバンドインターネットアクセスをユーザに提供する。
【００７８】
音声出力ユニット１０３は、ラジオ周波数ユニット１０１やネットワークモジュール１０２が受信した音声データや、メモリ１０９に記憶された音声データを音声信号に変換して音声として出力することができる。また、音声出力ユニット１０３は、端末１００が実行する特定の機能に関する音声（例えば、呼出信号着信音、メッセージ着信音等）を出力することができる。音声出力ユニット１０３は、スピーカ、ブザー及びレシーバなどを含む。
【００７９】
入力ユニット１０４は、音声や映像の信号を受信することに用いられる。入力ユニット１０４は、ビデオキャプチャモード又は画像キャプチャモードでカメラなどの画像キャプチャ装置によって取得された静止画又は動画の画像データを処理するＧＰＵ（Ｇｒａｐｈｉｃｓ  Ｐｒｏｃｅｓｓｉｎｇ  Ｕｎｉｔ）１０４１と、マイク１０４２とを含む。処理された画像フレームは、表示ユニット１０６上に表示される。グラフィックスプロセッサ１０４１で処理された画像フレームは、メモリ１０９（又は他の記憶媒体）に記憶され得るか、又はラジオ周波数ユニット１０１又はネットワークモジュール１０２を介して送信され得る。マイク１０４２は、音声を受信し、音声データに加工することができる。処理された音声データは、電話通話モードの場合、ラジオ周波数ユニット１０１を介して移動体通信基地局に送信可能な形式に変換して出力することができる。
【００８０】
端末１００は、光センサ、モーションセンサ及び他のセンサのような少なくとも１つのセンサ１０５を更に含む。具体的には、光センサは、周辺光センサ及び近接センサを含む。周辺光センサは、周辺光の明暗に応じて表示パネル１０６１の輝度を調節し、近接センサは、端末１００が耳に移動したときに表示パネル１０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の識別（例えば、縦横画面切替、関連ゲーム、磁力計姿勢キャリブレーション）、振動識別関連機能（例えば、歩数計、ストローク）などに用いることができる。センサ１０５は、指紋センサ、圧力センサ、虹彩センサ、分子センサ、ジャイロスコープ、気圧計、湿度計、温度計、赤外線センサなどを更に含むことができるが、ここでは枚挙しない。
【００８１】
表示ユニット１０６は、ユーザが入力した情報やユーザに提供した情報を表示するために用いられる。表示ユニット１０６は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）などからなる表示パネル１０６１を含んでもよい。
【００８２】
ユーザ入力ユニット１０７は、数字や文字情報の入力を受け付け、ユーザによる端末の設定や機能制御に関するキー信号の入力を生成ことに用いられる。具体的に、ユーザ入力ユニット１０７は、タッチパネル１０７１と、その他の入力機器１０７２とを含む。タッチパネル１０７１は、タッチスクリーンとも呼ばれ、その上又は付近でのユーザのタッチ操作を取得可能である（例えばユーザが指やスタイラスなどの任意の適切な物体や付属部材を用いたタッチパネル１０７１の上又はタッチパネル１０７１の付近での操作）。タッチパネル１０７１は、タッチ検出装置とタッチコントローラの２つの部分を含んでもよい。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１１０に送り、プロセッサ１１０からの命令を受信して実行する。なお、タッチパネル１０７１は、抵抗膜式、静電容量式、赤外線、表面弾性波など、種々のタイプを用いて実現することができる。ユーザ入力ユニット１０７は、タッチパネル１０７１の他に、他の入力機器１０７２を含んでもよい。具体的に、他の入力機器１０７２は、物理的なキーボード、機能キー（例えば、音量調節キー、スイッチキーなど）、トラックボール、マウス、レバーを含むが、ここでは枚挙しない。
【００８３】
更に、タッチパネル１０７１は、表示パネル１０６１に重ねられる。タッチパネル１０７１は、その上又はその近くでタッチ操作を検出すると、プロセッサ１１０に送信して、タッチイベントのタイプを特定する。次いで、プロセッサ１１０は、タッチイベントのタイプに応じて、対応する視覚的出力を表示パネル１０６１に提供する。図１６では、タッチパネル１０７１と表示パネル１０６１は、独立した２つの部品として端末の入出力機能を実現するが、実施例によっては、タッチパネル１０７１と表示パネル１０６１を一体化して端末の入出力機能を実現することもでき、具体的にここでは限定しない。
【００８４】
インタフェースユニット１０８は、外部装置と端末１００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット１０８は、外部装置から入力（例えば、データ情報、電力など）を受信し、受信した入力を端末１００内の１つ以上の要素に伝送するために使用されてもよく、又は端末１００と外部装置との間でデータを伝送するために使用されてもよい。
【００８５】
メモリ１０９は、ソフトウェアプログラム及び様々なデータを格納するために使用される。メモリ１０９は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ１０９は、高速ランダムアクセスメモリを含んでもよく、少なくとも１つの磁気ディスク記憶装置、フラッシュメモリデバイスなどの不揮発性メモリ、又は他の揮発性固体記憶デバイスを含んでもよい。
【００８６】
プロセッサ１１０は、端末の制御センタであり、各種インタフェースや回線を用いて端末全体の各部を接続し、メモリ１０９に格納されたソフトウェアプログラム及び／又はモジュールを実行、メモリ１０９に格納されたデータを呼び出して端末の各種機能及びデータ処理を実行し、端末全体の監視を行う。プロセッサ１１０は、１つ以上の処理ユニットを含んでもよい。選択的に、プロセッサ１１０は、オペレーティングシステム、ユーザインタフェース及びアプリケーションプログラムなどを主に処理するアプリケーションプロセッサと、ワイヤレス通信を主に処理するモデムプロセッサとを統合することができる。上述のモデムプロセッサは、プロセッサ１１０に統合されなくてもよいことが理解される。
【００８７】
端末１００は、各構成要素に電力を供給するためのバッテリのような電源１１１を更に含んでもよい。選択的に、電源１１１は、電源管理システムを介してプロセッサ１１０に論理的に接続されてもよく、電源管理システムを介して充電、放電、及び消費電力管理などを管理する機能を実現してもよい。
【００８８】
また、端末１００は、図示していない機能モジュールを更に含んでもよく、ここでの説明は省略する。
【００８９】
本開示の実施例は、コンピュータプログラムが格納されているコンピュータ読み取り可能な記憶媒体を更に提供し、該コンピュータプログラムがプロセッサによって実行されると、上記文字入力方法の実施例の各プロセスが実現され、且つ同じ技術効果を奏することもできるので、重複を避けるために、ここでは繰り返して記載しない。ここで、前記のコンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【００９０】
なお、本明細書において、「含む」や「含有する」又はそれ以外のあらゆる変形用語は、非排他的な包含を意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。更なる限定がない限り、「…を１つ含む」の表現によって限定される要素について、当該要素を含むプロセス、方法、モノ又は装置に他の同一要素の存在を除外しない。
【００９１】
以上の実施形態の記載から、上記実施例の方法が、ソフトウェアプラス必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の端末（携帯電話、コンピュータ、サーバー、空調機又はネットワークデバイスなど）に実行させるいくつかの指令を含む。
【００９２】
以上、本開示の実施例を図面に関連して記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021532492.tif 000011
【図２】
2021532492.tif 000012
【図３】
2021532492.tif 000013
【図４】
2021532492.tif 000014
【図５】
2021532492.tif 000015
【図６】
2021532492.tif 000016
【図７】
2021532492.tif 000017
【図８】
2021532492.tif 000018
【図９】
2021532492.tif 000019
【図１０】
2021532492.tif 000020
【図１１】
2021532492.tif 000021
【図１２】
2021532492.tif 000022
【図１３】
2021532492.tif 000023
【図１４】
2021532492.tif 000024
【図１５】
2021532492.tif 000025
【図１６】
2021532492.tif 000026
【手続補正書】
【提出日】令和3年2月1日(2021.2.1)
【手続補正１】
【補正対象書類名】明細書
【補正対象項目名】全文
【補正方法】変更
【補正の内容】
【発明の詳細な説明】
【技術分野】
【０００１】
関連出願の相互参照
本願は、２０１８年８月１日に中国特許庁に提出された中国特許出願２０１８１０８６２７６９．２の優先権を主張し、その全ての内容が援用によりここに取り込まれる。
本開示の実施例は、文字入力技術分野に係り、特に文字入力方法及び端末に係る。
【背景技術】
【０００２】
端末のますますの発展に伴い、端末にインストールされたメール、チャット、ショートメッセージ、オフィス等のアプリケーションを利用するユーザが増えている。ユーザは、これらのアプリケーションを使用する際に、入力法を利用して文字入力を行う必要がある場合が多い。
【０００３】
関連技術において、ユーザが入力法を用いて文字入力を行う場合、文字編集インタフェースでは、１種類のみの入力法による文字入力をサポートし、文字入力効率が低い。このため、ユーザは、一度入力法を選択すると、その入力法による不便を我慢しなければならない。例えば、ユーザが２６キー入力法で文字を入力する場合、２６キー入力法に対応する文字編集インタフェースでは、入力マッチ度は高いが、アルファベットキーが小さくて押し間違えやすい。ユーザが９宮格入力法で文字を入力する場合、９宮格入力法に対応する文字編集インタフェースでは、キーが十分に大きいが、入力後のマッチ度が高くなく、ユーザが入力したい文字とマッチしにくい。ユーザが音声入力法で文字を入力する場合、発音が不正確であったり発音時の環境が騒がしいため入力したい文字とマッチしない。ユーザが手書き入力法で文字を入力する場合、画数の多い文字に時間がかかって不便になる。ユーザが他の入力法で文字入力を行いたい場合、入力法を積極的に切り替える必要があり、現在使用されている入力法に対応する文字編集インタフェースがなくなり、新たな文字編集インタフェースに置き換わられ、新たな文字編集インタフェースは、やはり１種類の入力法による文字入力しかサポートせず、文字入力効率が低く、ユーザに不便をもたらすことになる。
【０００４】
従って、いかに効率よく、より正確に文字を入力するかが、解決すべき技術的課題である。
【発明の概要】
【発明が解決しようとする課題】
【０００５】
本開示の実施例は、いかに効率よく、より正確に文字を入力するかという問題を解決するために、文字入力方法及び端末を提供する。
【課題を解決するための手段】
【０００６】
第１態様として、本開示の実施例は、端末に応用される文字入力方法を提供し、該文字入力方法は、文字入力をトリガーするためのトリガー操作が検出されると、少なくとも２種類の入力法の入力操作領域と、前記入力法で入力される文字を表示するための文字表示領域とを含む文字編集インタフェースを表示することと、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持することとを含む。
【０００７】
第２態様として、本開示の実施例は、端末を提供し、該端末は、文字入力をトリガーするためのトリガー操作が検出されると、少なくとも２種類の入力法の入力操作領域と、前記入力法で入力される文字を表示するための文字表示領域とを含む文字編集インタフェースを表示する第１表示モジュールと、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持する第２表示モジュールとを含む。
【０００８】
第３態様として、本開示の実施例は、プロセッサと、メモリと、前記メモリに格納されて前記プロセッサで実行可能なコンピュータプログラムとを含む端末を提供し、前記コンピュータプログラムが前記プロセッサによって実行されると、上記文字入力方法が実現される。
【０００９】
第４態様として、本開示の実施例は、コンピュータプログラムが格納されているコンピュータ読み取り可能な記憶媒体を提供し、前記コンピュータプログラムがプロセッサによって実行されると、上記文字入力方法が実現される。
【発明の効果】
【００１０】
本開示の実施例において、入力法を起動して文字入力を行うための操作が検出されると、少なくとも２種類の入力法による文字入力が可能な文字編集インタフェースを表示することによって、現在表示されている文字編集インタフェースにおいてユーザが少なくとも２種類の入力法を用いて文字入力を行うことができるため、入力法の切り替え時に文字編集インタフェースを頻繁に切り替えることを回避し、文字入力の効率と正確性を効果的に向上させる。
【図面の簡単な説明】
【００１１】
【図１】本開示の実施例１に係る文字入力方法のフローチャートである。
【図２】本開示の実施例に係る文字編集インタフェースの概略図である。
【図３】本開示の実施例に係る文字編集インタフェースの別の概略図である。
【図４】本開示の実施例に係る文字編集インタフェースの別の概略図である。
【図５】本開示の実施例に係る文字編集インタフェースの別の概略図である。
【図６】本開示の実施例に係る文字編集インタフェースの別の概略図である。
【図７】本開示の実施例に係る文字編集インタフェースの別の概略図である。
【図８】本開示の実施例に係る文字編集インタフェースの別の概略図である。
【図９】本開示の実施例に係る文字編集インタフェースの別の概略図である。
【図１０】本開示の実施例に係る文字編集インタフェースの別の概略図である。
【図１１】本開示の実施例に係る文字編集インタフェースの別の概略図である。
【図１２】本開示の実施例に係る文字編集インタフェースの別の概略図である。
【図１３】本開示の実施例に係る文字編集インタフェースの別の概略図である。
【図１４】本開示の実施例２に係る端末の構造図である。
【図１５】本開示の実施例３に係る端末の構造図である。
【図１６】本開示の各実施例を実現する端末のハードウェア構造図である。
【発明を実施するための形態】
【００１２】
以下、本開示の実施例の図面を関連して、本開示の実施例の技術手段を明確且つ完全的に記載する。明らかに、記載する実施例は、本開示の実施例の全てではなく、一部なのである。本開示の実施例に基づき、当業者が創造性のある作業をしなくても為しえる全ての他の実施例は、いずれも本願の保護範囲に属するものである。
【００１３】
図１を参照し、図１は、本開示の実施例１に係る文字入力方法のフローチャートである。該方法において、文字入力をトリガーするためのトリガー操作が検出されると、少なくとも２種類の入力法の入力操作領域と、前記入力法で入力される文字を表示するための文字表示領域とを含む文字編集インタフェースを表示するステップＳ１１と、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持するステップＳ１２とを含む。
【００１４】
上記方法によれば、現在表示されている文字編集インタフェースにおいてユーザが少なくとも２種類の入力法を用いて文字入力を行うことができるため、入力法の切り替え時に文字編集インタフェースを頻繁に切り替えることを回避し、文字入力の効率と正確性を効果的に向上させる。
【００１５】
上記実施例において、文字入力をトリガーするためのトリガー操作は、ショートメッセージ、メール、ウィチャット等のアプリケーションの文字入力領域（例えば文字編集ボックス、検索ボックス等）を押下する押下操作である。
【００１６】
上記実施例において、前記少なくとも２種類の入力法は、キー入力法、音声入力法及び手書き入力法の少なくとも２つを含む。
【００１７】
ここで、前記キー入力法は、５筆字型入力法、ピンイン入力法又は外字入力法を含む。前記キー入力法は、２６キー入力法でもよいし、９宮格入力法でもよい。これにより、ユーザの様々なニーズを満たし、ユーザによる文字入力の効率を向上させる。
【００１８】
本開示の一部の選択的な実施例において、前記少なくとも２種類の入力法が前記キー入力法を含む場合、前記キー入力法の入力操作領域は、キーボード領域を含む。
【００１９】
例えば、図２を参照し、図２は、音声入力法及び９宮格入力法をサポートする文字編集インタフェース２０の概略図である。文字編集インタフェース２０において、９宮格入力法の入力操作領域２１は、キーボード領域２１１を含んでもよい。
【００２０】
もちろん、キー入力法の入力操作領域２１は、少なくとも１組の候補文字を表示するためのキーマッチ文字選択領域（図示していない）を更に含み、ユーザは、キーマッチ文字選択領域上で入力したい文字を選択することを容易にする。
【００２１】
本開示の他の一部の選択的な実施例において、前記少なくとも２種類の入力法が前記音声入力法を含む場合、前記音声入力法の入力操作領域は、少なくとも１組の候補文字を表示するための音声マッチ文字選択領域を含む。
【００２２】
引き続き図２を参照し、文字編集インタフェース２０において、音声入力法の入力操作領域２２は、音声マッチ文字選択領域２２１を含み、ユーザの音声情報に基づいてマッチした文字情報を音声マッチ文字選択領域２２１に表示して、ユーザによる選択を容易にする。
【００２３】
本開示の更なる他の選択的な実施例において、前記少なくとも２種類の入力法が前記手書き入力法を含む場合、前記手書き入力法の入力操作領域は、手書き領域を含む。
【００２４】
ここで、手書き領域は、文字編集インタフェース上の所定の領域であり、例えば文字編集インタフェース全体であり、手書き領域を大きくすることで、ユーザが手書きする操作を容易にする。もちろん、該所定の領域は、実際のニーズに応じて設定することができ、より柔軟にすることができる。
【００２５】
例えば、図３を参照し、図３は、手書き入力法及びキー入力法をサポートする文字編集インタフェース３０の概略図である。文字編集インタフェース３０において、手書き入力法の入力操作領域３１は、手書き領域３１１を含む。
【００２６】
もちろん、手書き入力法の入力操作領域３１は、少なくとも１組の候補文字を表示するための手書きマッチ文字選択領域３１２を更に含む。これにより、ユーザが手書きした文字の画に基づいてマッチした文字情報を手書きマッチ文字選択領域３１２に表示し、ユーザは、手書きマッチ文字選択領域３１２上で入力したい文字を選択しやすくなる。
【００２７】
選択的に、キーマッチ文字選択領域、音声マッチ文字選択領域及び手書きマッチ文字選択領域は、必要に応じて設定可能な所定のグループ数の候補文字を表示する。
【００２８】
選択的に、キーマッチ文字選択領域、音声マッチ文字選択領域及び手書きマッチ文字選択領域に、より多くのグループ数の候補文字を表示するように指示するためのモアキーを表示する。
【００２９】
選択的に、キーマッチ文字選択領域、音声マッチ文字選択領域及び手書きマッチ文字選択領域に表示される所定のグループ数の候補文字は、スライド操作の検出に応じて切り替えられる。
【００３０】
本開示の一部の選択的な実施例において、ステップＳ１２は、現在使用されている前記少なくとも２種類の入力法のうちの一方の入力法を他方の入力法に切り替えるための切替操作が検出されると、前記現在使用されている入力法の入力操作領域にある全ての文字をクリアし、現在使用されている入力法を前記他方の入力法として特定する。
【００３１】
即ち、現在使用されている文字編集インタフェースにおける一方の入力法を他方の入力法に切り替える際に、切り替え前に使用していた入力法の入力操作領域にある全ての文字をクリアする。
【００３２】
選択的に、前記少なくとも２種類の入力法が前記キー入力法を含む場合、ステップＳ１２は、現在使用されている入力法が前記少なくとも２種類の入力法のうち前記キー入力法以外の他の入力法であることが検出され、且つ前記キーボード領域上のキーが押下されたことが検出されると、前記現在使用されている入力法の入力操作領域にある全ての文字をクリアし、現在使用されている入力法を前記キー入力法に切り替えて、前記キーボード領域に入力された文字情報を取得することを含む。
【００３３】
即ち、キー入力法以外の他の入力法で文字を入力中に、キーボード領域上のいずれかのキーがクリックされたことを検出すると、現在使用されている入力法の入力操作領域にある全ての文字をクリアし、直ちにキー入力法に切り替えて次の文字入力を行う。
【００３４】
例えば、図４及び図５を参照し、ユーザが音声入力法及びキー入力法を用いることができる文字編集インタフェースを用いて文字入力を行い、該ユーザが音声入力法を用いて文字を入力する場合に表示される文字編集インタフェース４０は、図４に示すようになる。文字編集インタフェース４０において、キー入力法の入力操作領域は、キーボード領域４１であり、音声入力法の入力操作領域は、音声マッチ文字選択領域４２である。キーボード領域４１のキーがクリックされたことを検出すると、図５に示すように、音声マッチ文字選択領域４２の全ての文字がクリアされる。
【００３５】
本開示の一部の選択的な実施例において、前記の文字編集インタフェースを表示するステップの後に、前記方法は、前記少なくとも２種類の入力法のうちの一方の入力法を用いた文字入力が検出されると、入力情報に対応する少なくとも１組の候補文字を現在使用されている入力法の入力操作領域に表示するステップと、前記少なくとも１組の候補文字のうちの１組の候補文字が選択されたことが検出されると、選択された文字を前記文字表示領域に追加するステップとを更に含む。
【００３６】
ここで、検出された音声情報に基づいてマッチした文字は、ワード（アルファベット、中国語漢字を含む）、単語又は文章であり得る。また、１組の候補文字を選択する選択操作は、１組の候補文字をクリックするクリック操作であり得る。
【００３７】
選択した文字を前記文字表示領域に追加した後に、現在使用されている入力法の入力操作領域にある全ての文字をクリアし得る。
【００３８】
例えば、図６〜図８を参照し、音声入力法を用いて文字入力を行う場合、音声入力法の入力操作領域は、音声マッチ文字選択領域６１である。音声内容が「
【数１】
2021532492.tif 000027
」（こんにちは）である音声情報は検出されると、検出された音声情報に対して文字マッチを行い、図６に示すように、マッチした３組の候補文字（
【数２】
2021532492.tif 000028
）を文字編集インタフェース６０の音声マッチ文字選択領域６１に並べて表示する。図７に示すように、音声マッチ文字選択領域６１で「
【数３】
2021532492.tif 000029
」を選択する選択操作が検出されると、選択された「
【数４】
2021532492.tif 000030
」という文字を文字表示領域６２に追加し、図８に示すように、音声マッチ文字選択領域６１内の全ての文字をクリアする。
【００３９】
また、図９〜図１１を参照し、手書き入力法を用いて文字入力を行う場合、手書き入力法の入力操作領域９１は、手書き領域９１１と、手書きマッチ文字選択領域９１２とを含む。ユーザが手書き領域９１１に文字内容「
【数５】
2021532492.tif 000031
」の画を書いたことが検出されると、検出された画情報の文字マッチをし、マッチした４組の候補文字（
【数６】
2021532492.tif 000032
）を文字編集インタフェース９０の手書きマッチ文字選択領域９１２に並べて表示する。図１０に示すように、手書きマッチ文字選択領域９１２内で「
【数７】
2021532492.tif 000033
」を選択する選択操作が検出されると、選択された「
【数８】
2021532492.tif 000034
」という文字を文字表示領域９２に追加し、図１１に示すように、手書き入力法の入力操作領域９１（手書き領域９１１と手書きマッチ文字選択領域９１２を含む）内の全ての文字がクリアされる。
【００４０】
もちろん、選択された文字を前記文字表示領域に追加した後、現在使用されている入力法の入力操作領域にある文字をクリアしなくてもよい。
【００４１】
具体的には、選択された文字を前記文字表示領域に追加した後、選択された文字の連想字又は連想単語を入力操作領域に表示する。例えば、ユーザが選択した文字が「陽光」である場合、「陽光」を前記文字表示領域に追加し、「明媚」、「下」、「好」、「真好」など、「陽光」の連想字又は連想単語を入力操作領域に表示する。
【００４２】
本開示の一部の選択的な実施例において、前記少なくとも２種類の入力法が前記音声入力法を含む場合、前記の文字編集インタフェースを表示するステップの後に、前記方法は、ユーザの音声情報が検出され、且つ、前記文字編集インタフェースに他の入力法の入力操作が存在しない場合、収集された音声情報を取得し、前記音声情報を文字情報に変換することを更に含む。
【００４３】
即ち、前記少なくとも２種類の入力法が前記音声入力法を含む場合、文字入力の過程で音声情報を常にリアルタイムに収集し、音声情報が収集され且つ他の入力法を用いた文字入力が行われない場合のみ、収集された音声情報を文字情報に変換する。
【００４４】
本開示の更なる他の選択的な実施例において、前記少なくとも２種類の入力法が前記手書き入力法を含む場合、前記の文字編集インタフェースを表示するステップの後に、前記方法は、前記手書き領域上での手書き操作が検出されると、現在使用されている入力法を前記手書き入力法として特定し、前記手書き領域に入力された文字情報を取得することを更に含む。
【００４５】
即ち、ユーザが手書き領域に文字を書いていることが検出された場合、それまで採用されていた入力法が手書き入力法でなければ、入力法を手書き入力法に切り替え、それまでは手書き入力法を用いていたのであれば、引き続き手書き入力法による文字入力を行い、筆記された画情報に対して文字マッチを行い、手書き入力法で入力された文字情報を取得する。
【００４６】
本発明の一部の選択的な実施例において、現在表示されている文字編集インタフェースにおける少なくとも２種類の入力法の入力操作領域は、第１入力法の入力操作領域と第２入力法の入力操作領域とを含み、且つ前記第１入力法及び前記第２入力法のいずれとも異なる第３入力法の入力操作領域を含まない。前記の文字編集インタフェースを表示するステップの後に、前記方法は、前記第１入力法を前記第３入力法に切り替えるための切替操作が検出されると、前記第２入力法の入力操作領域と、前記第３入力法の入力操作領域と、前記文字表示領域とを含む新たな文字編集インタフェースを表示することを更に含む。
【００４７】
即ち、現在表示されている文字編集インタフェースでは、第１入力法及び第２入力法による文字入力は可能であるが、第３入力法による文字入力は不可能である。第１入力法を第３入力法に切り替えるための切替操作が検出されると、新たな文字編集インタフェースを表示し、新たな文字編集インタフェースにおいて、前記第２入力法及び前記第３入力法による文字入力が可能である。
【００４８】
ここで、前記の第１入力法を第３入力法に切り替えるための切替操作は、前記文字編集インタフェースに表示される入力法の切り替えを指示するための切り替えキーが押下される押下操作である。前記切り替えキーは、実際のニーズに応じて予め設定されたキーとすることができ、前記文字編集インタフェースのどこにでも配置することができ、より柔軟である。
【００４９】
例えば、引き続き図２及び図３を参照し、第１入力法は、音声入力法であり、第２入力法は、キー入力法であり、第３入力法は、手書き入力法である。図２の文字編集インタフェース２０では、音声入力法の入力操作領域２２は、音声マッチ文字選択領域２２１であり、音声マッチ文字選択領域２２１の一番右のマイクキーは、前記切り替えキーであり、該マイクキーのクリックが検出されると、図３に示すように、新たな文字編集インタフェース３０が表示される。新たな文字編集インタフェース３０は、キー入力法及び手書き入力法による文字入力が可能であり、文字表示領域３２と、キー入力法の入力操作領域３３と、手書き入力法の入力操作領域３１（手書き領域３１１及び手書きマッチ文字選択領域３１２を含む）とを含む。
【００５０】
また、引き続き図２及び図３を参照し、第１入力法は、手書き入力法であり、第２入力法は、キー入力法であり、第３入力法は、音声入力法である。図３の文字編集インタフェース３０では、手書き入力法の入力操作領域３１の一番右の画キーは、前記切り替えキーであり、この画キーのクリックが検出されると、図２に示すように、新たな文字編集インタフェース２０が表示される。新たな文字編集インタフェース２０は、キー入力法及び音声入力法を用いて文字入力を行うことができ、文字表示領域２３と、キー入力法の入力操作領域２１と、音声入力法の入力操作領域２２とを含む。
【００５１】
また、図２及び図１２を参照し、第１入力法は、キー入力法であり、第２入力法は、音声入力法であり、第３入力法は、手書き入力法である。図２の文字編集インタフェース２０では、キーボード領域２１１の「１」キーが前記切り替えキーであり、この「１」キーのクリックが検出されると、図１２に示すように、新たな文字編集インタフェース１２０が表示される。新たな文字編集インタフェース１２０は、音声入力法と手書き入力法を用いて文字入力を行うことができ、文字表示領域１２１と、音声入力法の入力操作領域１２２と、手書き入力法の入力操作領域１２３（手書きマッチ文字選択領域１２３１と手書き領域１２３２を含む）とを含む。
【００５２】
図１３を参照し、本開示の一部の具体的な実施例において、文字編集インタフェース１３０は、３種類の入力法（例えばキー入力法、音声入力法及び手書き入力法）を用いて文字入力を行うことができる。この文字編集インタフェース１３０は、文字表示領域１３１と、キー入力法の入力操作領域１３２と、音声入力法の入力操作領域１３３と、手書き入力法の入力操作領域１３４とを含む。ここで、手書き入力法の入力操作領域１３４は、手書きマッチ文字選択領域１３４１と、手書き領域１３４２とを含む。
【００５３】
これにより、ユーザが、文字編集インタフェース上で３種類の入力法を用いて文字入力を行うことができ、どのような入力法を用いたくても即座に使用することができ、文字編集インタフェースの頻繁な切り替えを回避して、ユーザの文字入力の時間を削減し、文字入力の効率を効果的に向上させる。
【００５４】
上記文字入力方法と同じ発明思想に基づいて、本開示は、端末を提供する。図１４を参照し、図１４は、本開示の実施例２に係る端末１４０の構造図である。端末１４０は、文字入力をトリガーするためのトリガー操作が検出されると、少なくとも２種類の入力法の入力操作領域と、前記入力法で入力される文字を表示するための文字表示領域とを含む文字編集インタフェースを表示する第１表示モジュール１４１と、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持する第２表示モジュール１４２とを含む。
【００５５】
本開示の端末は、少なくとも２種類の入力法による文字入力が可能な文字編集インタフェースを表示することができるため、入力法の切り替え時に文字編集インタフェースを頻繁に切り替えることを回避し、文字入力の効率と正確性を効果的に向上させる。
【００５６】
選択的に、前記少なくとも２種類の入力法は、キー入力法、音声入力法及び手書き入力法の少なくとも２つを含む。
【００５７】
選択的に、前記少なくとも２種類の入力法がキー入力法を含む場合、前記キー入力法の入力操作領域は、キーボード領域を含む。前記端末１４０は、現在使用されている入力法が前記少なくとも２種類の入力法のうち前記キー入力法以外の他の入力法であることが検出され、且つ前記キーボード領域上のキーが押下されたことが検出されると、前記現在使用されている入力法の入力操作領域にある全ての文字をクリアし、現在使用されている入力法を前記キー入力法に切り替えて、前記キーボード領域に入力された文字情報を取得する第１取得モジュールを更に含む。
【００５８】
選択的に、前記少なくとも２種類の入力法が手書き入力法を含む場合、前記手書き入力法の入力操作領域は、手書き領域を含む。前記端末１４０は、前記手書き領域上での手書き操作が検出されると、現在使用されている入力法を前記手書き入力法と特定し、前記手書き領域に入力された文字情報を取得する第２取得モジュールを更に含む。
【００５９】
選択的に、前記少なくとも２種類の入力法が音声入力法を含む場合、前記端末１４０は、ユーザの音声情報が検出され、且つ、前記文字編集インタフェースに他の入力法の入力操作が存在しない場合、収集された音声情報を取得し、前記音声情報を文字情報に変換する第３取得モジュールを更に含む。
【００６０】
選択的に、前記端末１４０は、前記少なくとも２種類の入力法のうちの一方の入力法を用いた文字入力が検出されると、入力情報に対応する少なくとも１組の候補文字を現在使用されている入力法の入力操作領域に表示する第３表示モジュールと、前記少なくとも１組の候補文字のうちの１組の候補文字が選択されたことが検出されると、選択された文字を前記文字表示領域に追加する追加モジュールとを更に含む。
【００６１】
選択的に、現在表示されている文字編集インタフェースにおける少なくとも２種類の入力法の入力操作領域は、第１入力法の入力操作領域と第２入力法の入力操作領域とを含み、且つ前記第１入力法及び前記第２入力法のいずれとも異なる第３入力法の入力操作領域を含まない。前記端末１４０は、前記第１入力法を前記第３入力法に切り替えるための切替操作が検出されると、前記第２入力法の入力操作領域と、前記第３入力法の入力操作領域と、前記文字表示領域とを含む新たな文字編集インタフェースを表示する第４表示モジュールを更に含む。
【００６２】
選択的に、前記の前記第１入力法を第３入力法に切り替えるための切替操作は、前記文字編集インタフェースに表示される入力法の切り替えを指示するための切り替えキーが押下される押下操作である。
【００６３】
本開示の実施例に係る端末は、上記文字入力方法の実施例において端末によって実行される各プロセスを実現することができ、重複を避けるために、ここでは繰り返して述べない。
【００６４】
図１５を参照すると、図１５は、本開示の実施例３に係る端末１５０の構造図である。該端末１５０は、プロセッサ１５１と、メモリ１５２と、メモリ１５２に格納されて前記プロセッサ１５１で実行可能なコンピュータプログラムとを含む。前記プロセッサ１５１は、前記プログラムを実行すると、文字入力をトリガーするためのトリガー操作が検出されると、少なくとも２種類の入力法の入力操作領域と、前記入力法で入力される文字を表示するための文字表示領域とを含む文字編集インタフェースを表示するステップと、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持するステップとを実現する。
【００６５】
本開示の実施例に係る端末は、少なくとも２種類の入力法による文字入力が可能な文字編集インタフェースを表示することができ、現在表示されている文字編集インタフェースにおいてユーザが少なくとも２種類の入力法を用いて文字入力を行うことができるため、入力法の切り替え時に文字編集インタフェースを頻繁に切り替えることを回避し、文字入力の効率と正確性を効果的に向上させる。
【００６６】
選択的に、前記少なくとも２種類の入力法は、キー入力法、音声入力法及び手書き入力法の少なくとも２つを含む。
【００６７】
選択的に、前記少なくとも２種類の入力法がキー入力法を含む場合、前記キー入力法の入力操作領域は、キーボード領域を含む。選択的に、コンピュータプログラムがプロセッサ１５１によって実行されると、現在使用されている入力法が前記少なくとも２種類の入力法のうち前記キー入力法以外の他の入力法であることが検出され、且つ前記キーボード領域上のキーが押下されたことが検出されると、前記現在使用されている入力法の入力操作領域にある全ての文字をクリアし、現在使用されている入力法を前記キー入力法に切り替えて、前記キーボード領域に入力された文字情報を取得するステップが更に実現され得る。
【００６８】
選択的に、前記少なくとも２種類の入力法が手書き入力法を含む場合、前記手書き入力法の入力操作領域は、手書き領域を含む。選択的に、コンピュータプログラムがプロセッサ１５１によって実行されると、前記の文字編集インタフェースを表示するステップの後に、前記手書き領域上での手書き操作が検出されると、現在使用されている入力法を前記手書き入力法と特定し、前記手書き領域に入力された文字情報を取得するステップが更に実現され得る。
【００６９】
選択的に、前記少なくとも２種類の入力法が音声入力法を含む場合、コンピュータプログラムがプロセッサ１５１によって実行されると、前記の文字編集インタフェースを表示するステップの後に、ユーザの音声情報が検出され、且つ、前記文字編集インタフェースに他の入力法の入力操作が存在しない場合、収集された音声情報を取得し、前記音声情報を文字情報に変換するステップが更に実現され得る。
【００７０】
選択的に、コンピュータプログラムがプロセッサ１５１によって実行されると、前記の文字編集インタフェースを表示するステップの後に、前記少なくとも２種類の入力法のうちの一方の入力法を用いた文字入力が検出されると、入力情報に対応する少なくとも１組の候補文字を現在使用されている入力法の入力操作領域に表示するステップと、前記少なくとも１組の候補文字のうちの１組の候補文字が選択されたことが検出されると、選択された文字を前記文字表示領域に追加するステップとが更に実現され得る。
【００７１】
選択的に、コンピュータプログラムがプロセッサ１５１によって実行されると、現在表示されている文字編集インタフェースにおける少なくとも２種類の入力法の入力操作領域は、第１入力法の入力操作領域と第２入力法の入力操作領域とを含み、且つ前記第１入力法及び前記第２入力法のいずれとも異なる第３入力法の入力操作領域を含まず、前記の文字編集インタフェースを表示することの後に、
前記第１入力法を前記第３入力法に切り替えるための切替操作が検出されると、前記第２入力法の入力操作領域と、前記第３入力法の入力操作領域と、前記文字表示領域とを含む新たな文字編集インタフェースを表示するステップが更に実現される。
【００７２】
選択的に、前記の前記第１入力法を前記第３入力法に切り替えるための切替操作は、前記文字編集インタフェースに表示される入力法の切替を指示するための切り替えキーを押下する押下操作である。
【００７３】
図１６を参照すると、図１６は、本開示の各実施例を実現する端末１００のハードウェア構造図である。該端末１００は、ラジオ周波数ユニット１０１と、ネットワークモジュール１０２と、音声出力ユニット１０３と、入力ユニット１０４と、センサ１０５と、表示ユニット１０６と、ユーザ入力ユニット１０７と、インタフェースユニット１０８と、メモリ１０９と、プロセッサ１１０と、電源１１１などの構成要素を含むが、これらに限定されない。図１６に示される端末の構造は、端末を限定するものではなく、端末は、図示されるよりも多い又は少ない構成要素、又は特定の構成要素の組み合わせ、又は異なる構成要素の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００７４】
ここで、プロセッサ１１０は、文字入力をトリガーするためのトリガー操作が検出されると、少なくとも２種類の入力法の入力操作領域と、前記入力法で入力される文字を表示するための文字表示領域とを含む文字編集インタフェースを表示し、現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持する。
【００７５】
本開示の実施例において、少なくとも２種類の入力法による文字入力が可能な文字編集インタフェースを表示することによって、現在表示されている文字編集インタフェースにおいてユーザが少なくとも２種類の入力法を用いて文字入力を行うことができるため、入力法の切り替え時に文字編集インタフェースを頻繁に切り替えることを回避し、文字入力の効率と正確性を効果的に向上させる。
【００７６】
なお、本開示の実施例において、ラジオ周波数ユニット１０１は、情報の送受信又は通話中で信号の送受信に用いられ、具体的に、基地局から下りデータを受信した後、プロセッサ１１０による処理に供し、また、上りデータを基地局に送信する。一般に、ラジオ周波数ユニット１０１は、アンテナ、少なくとも１つの増幅器、トランシーバ、結合器、低雑音増幅器、デュプレクサなどを含むが、それらに限定されない。また、ラジオ周波数ユニット１０１は、無線通信システムを介してネットワークや他の機器と通信を行うこともできる。
【００７７】
端末は、ネットワークモジュール１０２を介して、電子メールの送受信、ウェブページの閲覧、ストリーミングメディアへのアクセスを支援するなど、無線ブロードバンドインターネットアクセスをユーザに提供する。
【００７８】
音声出力ユニット１０３は、ラジオ周波数ユニット１０１やネットワークモジュール１０２が受信した音声データや、メモリ１０９に記憶された音声データを音声信号に変換して音声として出力することができる。また、音声出力ユニット１０３は、端末１００が実行する特定の機能に関する音声（例えば、呼出信号着信音、メッセージ着信音等）を出力することができる。音声出力ユニット１０３は、スピーカ、ブザー及びレシーバなどを含む。
【００７９】
入力ユニット１０４は、音声や映像の信号を受信することに用いられる。入力ユニット１０４は、ビデオキャプチャモード又は画像キャプチャモードでカメラなどの画像キャプチャ装置によって取得された静止画又は動画の画像データを処理するＧＰＵ（Ｇｒａｐｈｉｃｓ  Ｐｒｏｃｅｓｓｉｎｇ  Ｕｎｉｔ）１０４１と、マイク１０４２とを含む。処理された画像フレームは、表示ユニット１０６上に表示される。グラフィックスプロセッサ１０４１で処理された画像フレームは、メモリ１０９（又は他の記憶媒体）に記憶され得るか、又はラジオ周波数ユニット１０１又はネットワークモジュール１０２を介して送信され得る。マイク１０４２は、音声を受信し、音声データに加工することができる。処理された音声データは、電話通話モードの場合、ラジオ周波数ユニット１０１を介して移動体通信基地局に送信可能な形式に変換して出力することができる。
【００８０】
端末１００は、光センサ、モーションセンサ及び他のセンサのような少なくとも１つのセンサ１０５を更に含む。具体的には、光センサは、周辺光センサ及び近接センサを含む。周辺光センサは、周辺光の明暗に応じて表示パネル１０６１の輝度を調節し、近接センサは、端末１００が耳に移動したときに表示パネル１０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の識別（例えば、縦横画面切替、関連ゲーム、磁力計姿勢キャリブレーション）、振動識別関連機能（例えば、歩数計、ストローク）などに用いることができる。センサ１０５は、指紋センサ、圧力センサ、虹彩センサ、分子センサ、ジャイロスコープ、気圧計、湿度計、温度計、赤外線センサなどを更に含むことができるが、ここでは枚挙しない。
【００８１】
表示ユニット１０６は、ユーザが入力した情報やユーザに提供した情報を表示するために用いられる。表示ユニット１０６は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）などからなる表示パネル１０６１を含んでもよい。
【００８２】
ユーザ入力ユニット１０７は、数字や文字情報の入力を受け付け、ユーザによる端末の設定や機能制御に関するキー信号の入力を生成ことに用いられる。具体的に、ユーザ入力ユニット１０７は、タッチパネル１０７１と、その他の入力機器１０７２とを含む。タッチパネル１０７１は、タッチスクリーンとも呼ばれ、その上又は付近でのユーザのタッチ操作を取得可能である（例えばユーザが指やスタイラスなどの任意の適切な物体や付属部材を用いたタッチパネル１０７１の上又はタッチパネル１０７１の付近での操作）。タッチパネル１０７１は、タッチ検出装置とタッチコントローラの２つの部分を含んでもよい。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１１０に送り、プロセッサ１１０からの命令を受信して実行する。なお、タッチパネル１０７１は、抵抗膜式、静電容量式、赤外線、表面弾性波など、種々のタイプを用いて実現することができる。ユーザ入力ユニット１０７は、タッチパネル１０７１の他に、他の入力機器１０７２を含んでもよい。具体的に、他の入力機器１０７２は、物理的なキーボード、機能キー（例えば、音量調節キー、スイッチキーなど）、トラックボール、マウス、レバーを含むが、ここでは枚挙しない。
【００８３】
更に、タッチパネル１０７１は、表示パネル１０６１に重ねられる。タッチパネル１０７１は、その上又はその近くでタッチ操作を検出すると、プロセッサ１１０に送信して、タッチイベントのタイプを特定する。次いで、プロセッサ１１０は、タッチイベントのタイプに応じて、対応する視覚的出力を表示パネル１０６１に提供する。図１６では、タッチパネル１０７１と表示パネル１０６１は、独立した２つの部品として端末の入出力機能を実現するが、実施例によっては、タッチパネル１０７１と表示パネル１０６１を一体化して端末の入出力機能を実現することもでき、具体的にここでは限定しない。
【００８４】
インタフェースユニット１０８は、外部装置と端末１００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット１０８は、外部装置から入力（例えば、データ情報、電力など）を受信し、受信した入力を端末１００内の１つ以上の要素に伝送するために使用されてもよく、又は端末１００と外部装置との間でデータを伝送するために使用されてもよい。
【００８５】
メモリ１０９は、ソフトウェアプログラム及び様々なデータを格納するために使用される。メモリ１０９は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ１０９は、高速ランダムアクセスメモリを含んでもよく、少なくとも１つの磁気ディスク記憶装置、フラッシュメモリデバイスなどの不揮発性メモリ、又は他の揮発性固体記憶デバイスを含んでもよい。
【００８６】
プロセッサ１１０は、端末の制御センタであり、各種インタフェースや回線を用いて端末全体の各部を接続し、メモリ１０９に格納されたソフトウェアプログラム及び／又はモジュールを実行、メモリ１０９に格納されたデータを呼び出して端末の各種機能及びデータ処理を実行し、端末全体の監視を行う。プロセッサ１１０は、１つ以上の処理ユニットを含んでもよい。選択的に、プロセッサ１１０は、オペレーティングシステム、ユーザインタフェース及びアプリケーションプログラムなどを主に処理するアプリケーションプロセッサと、ワイヤレス通信を主に処理するモデムプロセッサとを統合することができる。上述のモデムプロセッサは、プロセッサ１１０に統合されなくてもよいことが理解される。
【００８７】
端末１００は、各構成要素に電力を供給するためのバッテリのような電源１１１を更に含んでもよい。選択的に、電源１１１は、電源管理システムを介してプロセッサ１１０に論理的に接続されてもよく、電源管理システムを介して充電、放電、及び消費電力管理などを管理する機能を実現してもよい。
【００８８】
また、端末１００は、図示していない機能モジュールを更に含んでもよく、ここでの説明は省略する。
【００８９】
本開示の実施例は、コンピュータプログラムが格納されているコンピュータ読み取り可能な記憶媒体を更に提供し、該コンピュータプログラムがプロセッサによって実行されると、上記文字入力方法の実施例の各プロセスが実現され、且つ同じ技術効果を奏することもできるので、重複を避けるために、ここでは繰り返して記載しない。ここで、前記のコンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【００９０】
なお、本明細書において、「含む」や「含有する」又はそれ以外のあらゆる変形用語は、非排他的な包含を意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。更なる限定がない限り、「…を１つ含む」の表現によって限定される要素について、当該要素を含むプロセス、方法、モノ又は装置に他の同一要素の存在を除外しない。
【００９１】
以上の実施形態の記載から、上記実施例の方法が、ソフトウェアプラス必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の端末（携帯電話、コンピュータ、サーバー、空調機又はネットワークデバイスなど）に実行させるいくつかの指令を含む。
【００９２】
以上、本開示の実施例を図面に関連して記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【手続補正２】
【補正対象書類名】特許請求の範囲
【補正対象項目名】全文
【補正方法】変更
【補正の内容】
【特許請求の範囲】
【請求項１】
端末に応用される文字入力方法であって、
文字入力をトリガーするためのトリガー操作が検出されると、少なくとも２種類の入力法の入力操作領域と、前記入力法で入力される文字を表示するための文字表示領域とを含む文字編集インタフェースを表示することと、
現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持することとを含む、文字入力方法。
【請求項２】
前記少なくとも２種類の入力法がキー入力法を含む場合、前記キー入力法の入力操作領域は、キーボード領域を含み、
前記の現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持することは、
現在使用されている入力法が前記少なくとも２種類の入力法のうち前記キー入力法以外の他の入力法であることが検出され、且つ前記キーボード領域上のキーが押下されたことが検出されると、前記現在使用されている入力法の入力操作領域にある全ての文字をクリアし、現在使用されている入力法を前記キー入力法に切り替えて、前記キーボード領域に入力された文字情報を取得することを含む、請求項１に記載の文字入力方法。
【請求項３】
前記少なくとも２種類の入力法が手書き入力法を含む場合、前記手書き入力法の入力操作領域は、手書き領域を含み、
前記の文字編集インタフェースを表示することの後に、
前記手書き領域上での手書き操作が検出されると、現在使用されている入力法を前記手書き入力法と特定し、前記手書き領域に入力された文字情報を取得することを更に含む、請求項１に記載の文字入力方法。
【請求項４】
前記少なくとも２種類の入力法が音声入力法を含む場合、前記の文字編集インタフェースを表示することの後に、
ユーザの音声情報が検出され、且つ、前記文字編集インタフェースに他の入力法の入力操作が存在しない場合、収集された音声情報を取得し、前記音声情報を文字情報に変換することを更に含む、請求項１に記載の文字入力方法。
【請求項５】
前記の文字編集インタフェースを表示することの後に、
前記少なくとも２種類の入力法のうちの一方の入力法を用いた文字入力が検出されると、入力情報に対応する少なくとも１組の候補文字を現在使用されている入力法の入力操作領域に表示することと、
前記少なくとも１組の候補文字のうちの１組の候補文字が選択されたことが検出されると、選択された文字を前記文字表示領域に追加することとを更に含む、請求項１に記載の文字入力方法。
【請求項６】
現在表示されている文字編集インタフェースにおける少なくとも２種類の入力法の入力操作領域は、第１入力法の入力操作領域と第２入力法の入力操作領域とを含み、且つ前記第１入力法及び前記第２入力法のいずれとも異なる第３入力法の入力操作領域を含まず、
前記の文字編集インタフェースを表示することの後に、
前記第１入力法を前記第３入力法に切り替えるための切替操作が検出されると、前記第２入力法の入力操作領域と、前記第３入力法の入力操作領域と、前記文字表示領域とを含む新たな文字編集インタフェースを表示することを更に含む、請求項１に記載の文字入力方法。
【請求項７】
文字入力をトリガーするためのトリガー操作が検出されると、少なくとも２種類の入力法の入力操作領域と、前記入力法で入力される文字を表示するための文字表示領域とを含む文字編集インタフェースを表示する第１表示モジュールと、
現在使用されている前記少なくとも２種類の入力法のうちの一方の入力法を他方の入力法に切り替えるための切替操作が現在表示されている文字編集インタフェースで検出されると、前記少なくとも２種類の入力法の入力操作領域の表示を前記現在表示されている文字編集インタフェースに維持する第２表示モジュールとを含む、端末。
【請求項８】
前記少なくとも２種類の入力法がキー入力法を含む場合、前記キー入力法の入力操作領域は、キーボード領域を含み、
前記端末は、
現在使用されている入力法が前記少なくとも２種類の入力法のうち前記キー入力法以外の他の入力法であることが検出され、且つ前記キーボード領域上のキーが押下されたことが検出されると、前記現在使用されている入力法の入力操作領域にある全ての文字をクリアし、現在使用されている入力法を前記キー入力法に切り替えて、前記キーボード領域に入力された文字情報を取得する第１取得モジュールを更に含む、請求項７に記載の端末。
【請求項９】
前記少なくとも２種類の入力法が手書き入力法を含む場合、前記手書き入力法の入力操作領域は、手書き領域を含み、
前記端末は、
前記手書き領域上での手書き操作が検出されると、現在使用されている入力法を前記手書き入力法と特定し、前記手書き領域に入力された文字情報を取得する第２取得モジュールを更に含む、請求項７に記載の端末。
【請求項１０】
前記少なくとも２種類の入力法が音声入力法を含む場合、前記端末は、
ユーザの音声情報が検出され、且つ、前記文字編集インタフェースに他の入力法の入力操作が存在しない場合、収集された音声情報を取得し、前記音声情報を文字情報に変換する第３取得モジュールを更に含む、請求項７に記載の端末。
【請求項１１】
前記少なくとも２種類の入力法のうちの一方の入力法を用いた文字入力が検出されると、入力情報に対応する少なくとも１組の候補文字を現在使用されている入力法の入力操作領域に表示する第３表示モジュールと、
前記少なくとも１組の候補文字のうちの１組の候補文字が選択されたことが検出されると、選択された文字を前記文字表示領域に追加する追加モジュールとを更に含む、請求項７に記載の端末。
【請求項１２】
現在表示されている文字編集インタフェースにおける少なくとも２種類の入力法の入力操作領域は、第１入力法の入力操作領域と第２入力法の入力操作領域とを含み、且つ前記第１入力法及び前記第２入力法のいずれとも異なる第３入力法の入力操作領域を含まず、
前記端末は、
前記第１入力法を前記第３入力法に切り替えるための切替操作が検出されると、前記第２入力法の入力操作領域と、前記第３入力法の入力操作領域と、前記文字表示領域とを含む新たな文字編集インタフェースを表示する第４表示モジュールを更に含む、請求項７に記載の端末。
【請求項１３】
プロセッサと、メモリと、前記メモリに格納されて前記プロセッサで実行可能なコンピュータプログラムとを含む端末であって、
前記コンピュータプログラムが前記プロセッサによって実行されると、請求項１〜６のいずれか１項に記載の文字入力方法が実現される、端末。
【請求項１４】
コンピュータプログラムが格納されているコンピュータ読み取り可能な記憶媒体であって、
前記コンピュータプログラムがプロセッサによって実行されると、請求項１〜６のいずれか１項に記載の文字入力方法が実現される、コンピュータ読み取り可能な記憶媒体。
【国際調査報告】
2021532492.tif 000035
2021532492.tif 000036
2021532492.tif 000037
2021532492.tif 000038